(57)【特許請求の範囲】
【請求項１】
人体検知センサがトイレルーム内に入室した人体を検知すると音の出力を開始し、その後基準時から遅延時間ｔが経過した時点まで音の出力を継続してから停止するトイレ用音響装置において、
該基準時は、人体が便座から立ち上がった時又は便器の洗浄開始時であり、
該遅延時間ｔを該基準時よりも前に予め設定しておくことができる変更手段を備えたことを特徴とするトイレ用音響装置。
【請求項２】
請求項１において、前記変更手段は、該遅延時間ｔを予め設定された複数の候補の中から選択するものであることを特徴とするトイレ用音響装置。
【請求項３】
人体検知センサがトイレルーム内に入室した人体を検知すると音の出力を開始し、その後基準時から遅延時間ｔが経過した時点まで音の出力を継続し、該遅延時間ｔが経過した時点からフェードアウトタイムｆが経過した時点までにわたって徐々に音量を低下させた後に音を停止するトイレ用音響装置であって、
該基準時は、人体が便座から立ち上がった時又は便器の洗浄開始時であり、
該遅延時間ｔ及び／又は該フェードアウトタイムｆを該基準時よりも前に予め設定しておくことができる変更手段を備えたことを特徴とするトイレ用音響装置。
【請求項４】
請求項３において、前記変更手段は、該遅延時間ｔ及び／又は該フェードアウトタイムｆを予め設定された複数の候補の中から選択するものであることを特徴とするトイレ用音響装置。
【発明の詳細な説明】
【技術分野】
【０００１】
本発明は、トイレルーム内に音を出力するトイレ用音響装置に関する。
【背景技術】
【０００２】
トイレ使用者にやすらぎ感を与えたり便器使用音をマスキングしたりするために、トイレルーム内に演奏音や自然音などの音を出力させるトイレ用音響装置が特開２００３−１７６５５９号に記載されている。特開２００３−１７６５５９号では、便器使用者がセンサによって検知されるとスピーカーから音楽が流れ、人が検知されなくなるとこの音楽の音量が徐々に小さくなり、やがて停止する（フェードアウト方式）。このように音量を徐々に低下させて停止させるフェードアウト方式であると、音停止時に不自然さが無く快適である。
【特許文献１】特開２００３−１７６５５９号公報
【発明の開示】
【発明が解決しようとする課題】
【０００３】
上記の特開２００３−１７６５５９号では人がトイレルームから退室するか、人がセンサで検知されなくなってから音が停止するまでの時間（停止タイミング）や、音量低下開始から音停止までの時間（フェードアウトタイム）は予め決定されており、これらの時間を変更することはできない。このため、例えば、トイレルームから退室した使用者がトイレルーム外側の洗面所を使用しているときに音が停止してしまい、この使用者が不快な思いをすることがある。
【０００４】
本発明は、音の停止のタイミング又はフェードアウトタイムを変更することができるトイレ用音響装置を提供することを目的とする。
【課題を解決するための手段】
【０００５】
本発明（請求項１）のトイレ用音響装置は、人体検知センサがトイレルーム内に入室した人体を検知すると音の出力を開始し、その後基準時から遅延時間ｔが経過した時点まで音の出力を継続してから停止するトイレ用音響装置において、該基準時は、人体が便座から立ち上がった時又は便器の洗浄開始時であり、該遅延時間ｔを該基準時よりも前に予め設定しておくことができる変更手段を備えたことを特徴とするものである。
【０００６】
本発明（請求項２）のトイレ用音響装置は、請求項１において、前記変更手段は、該遅延時間ｔを予め設定された複数の候補の中から選択するものであることを特徴とするものである。
【０００７】
本発明（請求項３）のトイレ用音響装置は、人体検知センサがトイレルーム内に入室した人体を検知すると音の出力を開始し、その後基準時から遅延時間ｔが経過した時点まで音の出力を継続し、該遅延時間ｔが経過した時点からフェードアウトタイムｆが経過した時点までにわたって徐々に音量を低下させた後に音を停止するトイレ用音響装置であって、該基準時は、人体が便座から立ち上がった時又は便器の洗浄開始時であり、該遅延時間ｔ及び／又は該フェードアウトタイムｆを該基準時よりも前に予め設定しておくことができる変更手段を備えたことを特徴とするものである。
【発明の効果】
【０００８】
請求項１のトイレ用音響装置によると、トイレ使用者が望む時点で音を停止させることができ、トイレを快適に使用することができる。
【０００９】
請求項２のトイレ用音響装置によると、停止時点を幾つかの候補の中から選択するので、停止時点の変更が容易である。
【００１０】
請求項３及び４のトイレ用音響装置によると、遅延時間ｔ及び／又はフェードアウトタイムｆをトイレ使用者の望む長さに変更することができるので、トイレを快適に使用することができる。
【発明を実施するための最良の形態】
【００１１】
以下、図面を参照して本発明の好適な形態について説明する。第１図は実施の形態に係るトイレ用音響装置が設置されたトイレルームの斜視図、第２図（ａ）はリモコンの平面図、第２図（ｂ）はリモコンの正面図、第３図はリモコンの前蓋を開けた状態の正面図、第４図はタイミングチャートである。
【００１２】
本実施形態のトイレ用音響装置は、第１図に示すように、洋風水洗式便器に組み込まれている。この洋風水洗式便器では洋風便器本体１の後部にタンクカバー２が設置され、該タンクカバー２内にロータンク３が設置されている。タンクカバー２には、便座４及び便蓋５が回動可能に取り付けられると共に、その内部には、便座着座者の臀部を温水で洗浄するための洗浄ノズル６、臀部乾燥用温風ファン（図示略）等が設置されている。便座４には着座センサが設けられている。
【００１３】
図示は省略するが、タンクカバー２内には、トイレルーム内にプラスイオンとマイナスイオンとを放出するイオン発生器（図示略）が設けられている。
【００１４】
タンクカバー２には、洋風便器本体１を使用する者を検知するための人体検知センサ７と、音声データを記憶可能な記憶装置８と、スピーカ９と、制御装置１０等が設けられている。
【００１５】
トイレ用音響装置は、該便座４に設けられた着座センサ、記憶装置８、スピーカ９及び制御装置１０により構成されている。なお、記憶装置８には、デジタル圧縮された音楽情報である音声データが記録されている。
【００１６】
この音楽情報としては、音楽、自然音、話し声などが例示される。記憶装置８には、複数の音楽情報が記録されており、後述のリモコン２０のスイッチ７２により選択可能となっている。
【００１７】
トイレルームの壁面に設置されたリモコン２０の前面下部に設けられた前蓋２１には、第２図の通り、おしり洗浄用のパワフルスイッチ２２及びマイルドスイッチ２３並びにビデスイッチ２４、濡れた臀部に温風を吹き付けて乾燥させるための乾燥スイッチ２５、洗浄及び乾燥停止用の止スイッチ２６が設けられている。
【００１８】
この前蓋２１には開口２７（第３図に明示）が設けられており、この開口２７を通ってリモコン前面に臨み出すように洗浄強さダイアル２８が設けられている。
【００１９】
パワフルスイッチ２２を押すと、洗浄ノズル６から比較的高流速にて温水が噴出し、臀部が力強く洗浄される。マイルドスイッチ２３を押すと、洗浄ノズル６から比較的低流速にて温水が噴出し、臀部がソフトに洗浄される。
【００２０】
パワフル洗浄、マイルド洗浄、ビデ洗浄の洗浄強さは、ダイアル２８を左又は右に回すことによって調節可能である。
【００２１】
この実施の形態では、洗浄強さは６段階にわたって調節可能である。ダイアル２８によって設定された洗浄強さは後述の表示画面４０に表示される。
【００２２】
乾燥スイッチ２５は、これを１回押すと比較的高温の温風が吹き出し、もう１回押すと中温の温風となり、さらにもう１回押すと比較的低温の温風となり、以下同様に「高」、「中」、「低」と切り替わる。止スイッチ２６を押すと、上述の洗浄や乾燥（温風吹出）動作が停止する。なお、この実施の形態では、洗浄は開始２分後に自動的に停止し、乾燥は開始４分後に自動的に停止するセルフストップ機構が採用されている。
【００２３】
リモコン２０の前蓋２１よりも上側にワイド洗浄スイッチ（入／切スイッチ）３０と、洗浄位置を調節するための前進スイッチ（前スイッチ）３１及び後退スイッチ（後スイッチ）３２とが設けられている。ワイド洗浄スイッチ３０を押すと、おしり又はビデ洗浄中にノズルが前後に動いて広い範囲が洗浄される。おしり又はビデ洗浄中に前スイッチ３１又は後スイッチ３２を押すと、洗浄ノズルが前進又は後退する。この実施の形態では、ノズルの位置を前後５段階にわたって調節可能となっている。
【００２４】
リモコン２０の前面の上部中央には、液晶パネル等よりなる表示画面４０が設けられている。この表示画面４０には時刻表示部４１、乾燥用温風の温度表示部４２、洗浄強さの表示部４３、音楽再生モード表示部４４、足許等の照明入／切の表示部４５、リモコン２０からの信号光が便器本体１に向けて出力されていることを示すための表示部４６が設定されている。
【００２５】
リモコン２０の上部には、便座を電動装置によって開閉させるための便座開閉スイッチ５０、便器本体１を大洗浄するための大フラッシュスイッチ５１及び小洗浄するための小フラッシュスイッチ５２が設けられている。
【００２６】
前蓋２１を開けて操作するスイッチについて第３図を参照して説明する。なお、この前蓋２１は、左右両側に設けられたヒンジ部５５，５６によりリモコン２０の本体側に対し上下方向回動可能に取り付けられている。前蓋２１上の各スイッチ２２〜２６からの信号は、ハーネス５７を介してリモコン内部の回路に送られる。
【００２７】
前蓋２１を開けることにより露出するスイッチエリア６０の左端側には、温水温度の調節用つまみ６１、便座温度の調節つまみ６２、ノンタッチ洗浄機能の入／切用スイッチ６３、フルオート便座機能の入／切用スイッチ６４が設けられている。フルオート便座機能とは、人体検知センサ７により便器本体１の前に立つ人が検知されると便蓋５を自動的に開け、便器本体１から人が離れると約１分後に自動的に便蓋５を閉める機能である。ノンタッチ洗浄機能とは、便座に着座していた人が立ち上がると自動的に便器をフラッシュ洗浄する機能である。
【００２８】
スイッチエリア６０の略中央付近には、温水洗浄装置全体の電源を入／切するための電源入／切スイッチ６５、便座４及び温水タンクの温度を低目にする節電運転モードの入／切スイッチ６６、前記イオン発生器の運転の入切を行うための快適イオン入／切スイッチ６７、足許、便鉢内及び手洗い鉢の照明の入／切スイッチ６８、時刻合わせ用の「時」スイッチ６９及び「分」スイッチ７０、ノズル掃除スイッチ７１が設けられている。なお、ノズル掃除スイッチ７１を押すと、洗浄ノズル６がその収納部内に収納されたまま約５秒間該ノズル６に水が注ぎかけられ、ノズル６が水洗いされる。
【００２９】
スイッチエリア６０には、さらに、音楽再生スイッチ７２と音楽停止スイッチ７３とが設けられている。スイッチエリア６０には、前蓋２１の開放を検出するためのリミットスイッチ７４が設けられており、このリミットスイッチ７４により前蓋２１の開放が検出されているときにはダイアル２８は音楽の音量を調節するためのダイアルとして機能する。
【００３０】
音楽再生スイッチ７２と音楽停止スイッチ７３とを同時に２秒以上押し続けると、音楽再生モードが解除され、人体検知しても音楽は再生されない音楽非再生モードとなる。この音楽非再生モードとなった場合、表示画面４０から音楽再生表示部４４が消える。再び音楽再生モードを設定するには、音楽再生スイッチ７２と音楽停止スイッチ７３とを同時に２秒以上押す。この設定により、再び表示画面４０に音楽再生表示部４４が表示される。
【００３１】
次に、第４図を参照してトイレ用音響装置の作動内容を説明する。このトイレ用音響装置に音楽再生モードが設定されている状態において、トイレルーム内に人が入室し、人体検知センサ７によって該人が検知されると、便蓋５が自動的に起立すると共に、スピーカ９から音楽が出力開始される。この人が便座４から立ち上がったことが着座センサによって検知されると、予め設定された遅延時間ｔが経過した後、音楽の音量が徐々に低下し始め、この低下開始から所要時間（フェードアウトタイム）ｆが経過すると音が完全に停止する。なお、便座４に座り直した場合などのように、非着座後、遅延時間ｔが経過する前に再び人が着座したことが着座センサによって検知されると、非着座時間の計測はリセットされる。
【００３２】
この実施の形態では、この遅延時間ｔとフェードアウトタイムｆとのいずれもが変更可能となっている。従って、遅延時間ｔ又は遅延時間ｔとフェードアウトタイムｆとの合計時間を、使用者が便座４から立ち上ってから洗面所の使用が終了するまでに要する時間以上に変更することができる。
【００３３】
この実施の形態では、遅延時間ｔとして複数の候補値ｔ１，ｔ２，…ｔｎが制御回路１０に設定されている。また、フェードアウトタイムとしても複数の候補値ｆ１，ｆ２，…ｆｎが制御回路に設定されている。
【００３４】
遅延時間ｔを切り替えるには、例えば２個のスイッチ６６，７３を同時に且つ所定時間（例えば５秒）以上押す。これにより、候補値が１段階切り替えられる。この候補値は表示画面４０の時刻表示部４１に秒数として表示される。
【００３５】
フェードアウトタイムｆを切り替えるには、例えば２個のスイッチ６７，７３を同時に且つ所定時間（例えば５秒）以上押す。これにより、候補値が１段階切り替えられる。この候補値は表示画面４０の時刻表示部４１に秒数として表示される。
【００３６】
上記の遅延時間の候補値ｔ１，ｔ２，…ｔｎの最短値は例えば５〜１０秒程度とされ、最長値は例えば３０〜６０秒程度とされる。
【００３７】
上記のフェードアウトタイムの候補値ｆ１，ｆ２，…ｆｎの最短値は例えば５秒程度とされ、最長値は例えば６０秒程度とされる。
【００３８】
この実施の形態では、音楽が再生されている途中で音楽停止スイッチ７３を押すと、着座状態であっても音楽が直ちに停止する。音楽が停止している状態で音楽再生スイッチ７２を押すと、音楽再生が開始される。音楽が再生されている途中で音楽再生スイッチ７２を押すと、別の曲又は音（例えば自然音）に切り替えられる。
【００３９】
トイレルーム内に入室した人が着座をしない場合でも、音楽再生スイッチ７２を押すと音楽が再生される。この場合、音楽停止スイッチ７３が押されるか、又は人がトイレルームから退室することにより音楽が停止する。
【００４０】
上記実施の形態では、トイレルーム内に入室時に音楽が出力開始されるが、着座時に音楽が出力開始されてもよい。
【００４１】
上記実施の形態では、遅延時間及びフェードアウトタイムがいずれも複数の候補値を順次に切り替えて調節するものとなっているが、これら遅延時間及びフェードアウトタイムを任意に設定できるようにしてもよい。例えばスイッチ６７，７２を同時押ししながらダイアル２８を回すことにより遅延時間を長短調節し、スイッチ６８，７２を同時押ししながらダイアル２８を回すことによりフェードアウトタイムを長短調節するようにしてもよい。
【００４２】
上記実施の形態において、遅延時間ｔ及びフェードアウトタイムｆを変更するためのスライドスイッチを別途設けてもよい。
【００４３】
上記実施の形態では、便座４から立ち上った時を基準時としているが、第５図の通り、便器の洗浄開始時を基準時としてもよい。即ち、第５図の通り、トイレルーム内に人が入室し、人体検知センサ７によって該人が検知されると、便蓋５が自動的に起立すると共に、スピーカ９から音楽が出力開始される。この人が便座４から立ち上がったことが着座センサによって検知されると、所定時間ｓ経過後に便器の自動洗浄が開始される。この洗浄開始時を基準時とし、該基準時から予め設定された遅延時間ｔが経過した後、音楽の音量が徐々に低下し始め、この低下開始から所要時間（フェードアウトタイム）ｆが経過すると音が完全に停止する。なお、基準時として、自動洗浄時の代りに手動洗浄時を採用してもよい。この場合、リモコン２０の大フラッシュスイッチ５１又は小フラッシュスイッチ５２の手動操作時を基準時とし、該基準時から予め設定された遅延時間ｔが経過した後、音楽の音量が徐々に低下し始め、この低下開始から所要時間（フェードアウトタイム）ｆが経過すると音が完全に停止する。
【図面の簡単な説明】
【００４４】
【図１】実施の形態に係るトイレ用音響装置を備えたトイレルームの斜視図である。
【図２】（ａ）図は実施の形態に用いられるリモコンの平面図であり、（ｂ）図はこのリモコンの正面図である。
【図３】実施の形態に用いられるリモコンの正面図（前蓋を開けた状態）である。
【図４】実施の形態に係るトイレ用音響装置の作動内容を説明するタイミングチャートである。
【図５】実施の形態に係るトイレ用音響装置の別の作動内容を説明するタイミングチャートである。
【符号の説明】
【００４５】
７  人体検知センサ
８  記憶装置
９  スピーカ
１０  制御装置
２０  リモコン
２８  ダイアル
４０  表示画面
４３  洗浄強さ表示部
４４  音楽再生モード表示部
４５  足許照明表示部
７２  音楽再生スイッチ
７３  音楽停止スイッチ
【図１】
0004622251.tif 000002
【図２】
0004622251.tif 000003
【図３】
0004622251.tif 000004
【図４】
0004622251.tif 000005
【図５】
0004622251.tif 000006